(57)【要約】【課題】  色相モデルに応じて、単一の色相要素ではなく、色相要素の組み合わせによって調整の実質的な対象となる組み合わせ色相要素に基づいて色相の修正・補正が行われ得る、色修正・補正方法を提供する。【解決手段】本発明の色修正・補正方法は、様々な種類のイメージ処理結果をプロファイルとしてデータ化して格納する段階と、格納されたプロファイルの中から選択された色相修正・色相補正作業のプロファイル情報を用いて前記イメージ処理の結果をターゲットイメージに適用する段階を含むことを特徴とする。【選択図】      図６
2019083523.tif 000002
【特許請求の範囲】
【請求項１】
様々な種類の色相修正・色相補正作業によるイメージ処理結果をプロファイルとしてデータ化して格納する段階と、
格納されたプロファイルの中から選択された色相修正・色相補正作業のプロファイル情報を用いて前記イメージ処理の結果をターゲットイメージに適用する段階を含むことを特徴とする、色修正・補正方法。
【請求項２】
色相値を表現する方式は、
最大公約数の原理に基づいて色相モデルに応じて色相要素を組み合わせて生成された組み合わせ要素を用いることを特徴とする、請求項１に記載の色修正・補正方法。
【請求項３】
前記データ化して格納する段階は、
前記方式によって表現された色相値を含むルックアップテーブルに該当するｎカラーテーブルチャートを生成する段階を含むことを特徴とする、請求項２に記載の色修正・補正方法。
【請求項４】
前記データ化して格納する段階は、
色相修正・色相補正作業によるイメージ処理をサンプルイメージに適用する段階と、
前記イメージ処理によって変換されたイメージの色相値に関するプロファイルを生成する段階と、
色相修正・色相補正作業の種類とこれに対応するプロファイル情報に関するデータベースを構築する段階とをさらに含むことを特徴とする、請求項３に記載の色修正・補正方法。
【請求項５】
前記プロファイル情報は、
前記ＮＣＴＣの色相値と、前記デジタルイメージ処理によって変換された色相値を含むことを特徴とする、請求項４に記載の色修正・補正方法。
【請求項６】
前記ターゲットイメージに適用する段階は、
ターゲットイメージの色相値が前記組み合わせ色相の色相値を表現する方式によって表現されるように、ターゲットイメージの色相値を変更する段階と、
ターゲットイメージに適用しようとする、選択された色相修正・色相補正作業に該当するプロファイルを、データ化によって格納されたデータベースから検索する段階と、
検索されたプロファイルのプロファイル情報に応じて、ターゲットイメージの色相値を変換することにより、選択された色相修正・色相補正処理が適用されたターゲットイメージを得る段階とを含むことを特徴とする、請求項２に記載の色修正・補正方法。
【請求項７】
前記色相値を表現する方式は、
色相要素のうちの複数個を組み合わせて生成された組み合わせ要素、および組み合わせの後に残る色相要素を用いてイメージピクセルの色相を表現することを特徴とする、請求項２に記載の色修正・補正方法。
【請求項８】
前記組み合わせは、
各色相要素で共通の数値範囲の色相値を有する色相要素を共通の数値範囲内で互いに組み合わせることを特徴とする、請求項２に記載の色修正・補正方法。
【請求項９】
前記組み合わせ要素の色相値は、
ＲＧＢ色相モデルおよびＣＭＹＫ色相モデルを含む色相モデルで表現されることを特徴とする、請求項２に記載の色修正・補正方法。
【請求項１０】
ＲＧＢカラーモデルで、赤（Ｒ  ｃｏｍｐｏｎｅｎｔ）、緑（Ｇ  ｃｏｍｐｏｎｅｎｔ）、青（Ｂ  ｃｏｍｐｏｎｅｎｔ）の３つの色相要素（ｃｏｌｏｒ  ｃｏｍｐｏｎｅｎｔ）を用いて、３つの色相要素が組み合わせられた赤緑青（ＲＧＢ  ｃｏｍｂｉｎｅｄ  ｃｏｍｐｏｎｅｎｔ）、２つの色相要素が組み合わせられた赤緑（ＲＧ  ｃｏｍｂｉｎｅｄ  ｃｏｍｐｏｎｅｎｔ）、緑青（ＧＢ  ｃｏｍｂｉｎｅｄ  ｃｏｍｐｏｎｅｎｔ）および青赤（ＢＲ  ｃｏｍｂｉｎｅｄ  ｃｏｍｐｏｎｅｎｔ）、並びに残り１つの色相要素である赤、緑および青に対する７つのチャートが用いられることを特徴とする、請求項７に記載の色修正・補正方法。
【請求項１１】
ＣＭＹＫ色相モデルで、Ｃ、Ｍ、ＹおよびＫの４つの色相要素を用いて、４つの色相要素が組み合わせられたＣＭＹＫ、３つの色相要素が組み合わせられたＣＭＹ、ＣＭＫ、ＣＹＫおよびＭＹＫ、２つの色相要素が組み合わせられたＣＭ、ＣＹ、ＣＫ、ＭＹ、ＭＫおよびＹＫ、並びに残り１つの色相要素Ｃ、Ｍ、ＹおよびＫに対する１５個のチャートが用いられることを特徴とする、請求項７に記載の色修正・補正方法。
【請求項１２】
前記各チャートは、
各チャートに該当する組み合わせ要素を構成する色相要素の数値（ｖａｌｕｅ）に応じて色相を段階別に表示する２５６個のパッチを含むことを特徴とする、請求項８に記載の色修正・補正方法。
【請求項１３】
前記各チャートは、
各チャートに該当する組み合わせ要素を構成する色相要素の数値に基づいて色相を段階別に表示する１００個のパッチを含むことを特徴とする、請求項９に記載の色修正・補正方法。
【請求項１４】
前記ターゲットイメージの変換された色相値は、
赤、緑および青（Ｒ＝Ｇ＝Ｂ）組み合わせ要素の変換された色相値、赤緑、緑青および青赤（Ｒ＝Ｇ／Ｇ＝Ｂ／Ｂ＝Ｒ）組み合わせ要素のうちのいずれか一つの組み合わせ要素の変換された色相値、並びに赤、緑および青の残り色相要素のうちのいずれかの色相要素の変換された色相値を含む集合において、少なくとも一つの色相値の合算によって生成されることを特徴とする、請求項４に記載の色修正・補正方法。
【請求項１５】
前記ターゲットイメージは、
前記イメージ処理によって色相情報（ｃｏｌｏｒ  ｉｎｆｏｒｍａｔｉｏｎ）が変更されない形式（ｆｏｒｍａｔ）のファイル（ｆｉｌｅ）であることを特徴とする、請求項２に記載の色修正・補正方法。
【請求項１６】
様々な種類の色相修正・色相補正作業によるイメージ処理結果をデータ化して格納するデータベース生成部と、
格納されたプロファイルの中から選択された色相修正・色相補正作業のプロファイル情報を用いて前記イメージ処理の結果をターゲットイメージに適用するカラー補正エンジンとを含むことを特徴とする、色修正・補正装置。
【請求項１７】
色相値を表現する方式は、
最大公約数の原理に基づいて、色相モデルに応じて色の要素を組み合わせて生成された組み合わせ要素（ｃｏｍｂｉｎｅｄ  ｅｌｅｍｅｎｔ）を用いることを特徴とする、請求項１６に記載の色修正・補正装置。
【請求項１８】
前記データベース生成部は、
前記方式によって表現された色相値を含むルックアップテーブルに該当するｎカラーテーブルチャートを生成するチャート生成モジュールを含むことを特徴とする、請求項１７に記載の色修正・補正装置。
【請求項１９】
前記データベース生成部は、
色相修正・色相補正作業によるイメージ処理をサンプルイメージに適用するデモモジュールと、
前記イメージ処理によって変換されたイメージの色相値に関するプロファイルを生成するプロファイル生成モジュールと、
色相修正・色相補正作業の種類とこれに対応するプロファイル情報に関するデータベースを構築するデータベースモジュールとを含むことを特徴とする、請求項１８に記載の色修正・補正装置。
【請求項２０】
前記プロファイル情報は、
前記ＮＣＴＣの色相値と、前記デジタルイメージ処理によって変換された色相値とを含むことを特徴とする、請求項１９に記載の色修正・補正装置。
【請求項２１】
前記カラー補正エンジンは、
ターゲットイメージの色相値が前記組み合わせ色相の色相値を表現する方式によって表現されるように、ターゲットイメージの色相値を変更する色相変更モジュールと、
ターゲットイメージに適用しようとする、選択された色相修正・色相補正作業に該当するプロファイルを、データ化によって格納されたデータベースから検索する検索モジュールと、
検索されたプロファイルのプロファイル情報に応じて、ターゲットイメージの色相値を変換する色相変換モジュールとを含み、選択された色相修正・色相補正作業が適用されたターゲットイメージを出力することを特徴とする、請求項１７に記載の色修正・補正装置。
【請求項２２】
前記色相値を表現する方式は、
色相要素のうちの複数個を組み合わせて生成された組み合わせ要素、および組み合わせの後に残る色相要素を用いてイメージピクセルの色相を表現することを特徴とする、請求項１７に記載の色修正・補正装置。
【請求項２３】
前記組み合わせは、
各色の要素で共通の数値範囲の色相値を有する色の要素を共通の数値範囲内で互いに組み合わせることを特徴とする、請求項１７に記載の色修正・補正装置。
【請求項２４】
前記組み合わせ要素の色相値は、
ＲＧＢ色相モデルおよびＣＭＹＫ色相モデルを含む色相モデルで表現されることを特徴とする、請求項１７に記載の色修正・補正装置。
【請求項２５】
前記チャート生成モジュールは、
ＲＧＢカラーモデルで、赤、緑、青の３つの色相要素を用いて、３つの色相要素が組み合わせられた赤緑青（ＲＧＢ）、２つの色相要素が組み合わせられた赤緑（ＲＧ）、緑青（ＧＢ）および青赤（ＢＲ）、並びに残り１つの色相要素である赤、緑および青に対する７つのチャートを生成することを特徴とする、請求項１８に記載の色修正・補正装置。
【請求項２６】
前記チャート生成モジュールは、
ＣＭＹＫ色相モデルで、Ｃ、Ｍ、ＹおよびＫの４つの色相要素を用いて、４つの色相要素が組み合わせられたＣＭＹＫ、３つの色相要素が組み合わせられたＣＭＹ、ＣＭＫ、ＣＹＫおよびＭＹＫ、２つの色相要素が組み合わせられたＣＭ、ＣＹ、ＣＫ、ＭＹ、ＭＫおよびＹＫ、並びに残り１つの色相要素Ｃ、Ｍ、ＹおよびＫに対する１５個のチャートを生成することを特徴とする、請求項１８に記載の色修正・補正装置。
【請求項２７】
前記各チャートは、
各チャートに該当する組み合わせ要素を構成する色相要素の数値に基づいて色相を段階別に表示する２５６個のパッチを含むことを特徴とする、請求項２３に記載の色修正・補正装置。
【請求項２８】
前記各チャートは、
各チャートに該当する組み合わせ要素を構成する色相要素の数値に基づいて色相を段階別に表示する１００個のパッチを含むことを特徴とする、請求項２４に記載の色修正・補正装置。
【請求項２９】
前記色相変換モジュールは、
赤、緑および青（Ｒ＝Ｇ＝Ｂ）組み合わせ要素の変換された色相値、赤緑、緑青および青赤（Ｒ＝Ｇ／Ｇ＝Ｂ／Ｂ＝Ｒ）組み合わせ要素のうちのいずれかの組み合わせ要素の変換された色相値、並びに赤、緑および青の残り色相要素のうちのいずれかの色相要素の変換された色相値を含む集合において、少なくとも一つの色相値の合算によって前記ターゲットイメージの色相値を変換することを特徴とする、請求項２１に記載の色修正・補正装置。
【請求項３０】
前記ターゲットイメージは、
前記イメージ処理によって色相情報が変更されない形式のファイルであることを特徴とする、請求項１７に記載の色修正・補正装置。
【発明の詳細な説明】
【技術分野】
【０００１】
本発明は、色修正・補正方法およびこれを用いる色修正・補正装置に関し、より詳細には、色相の要素に基づく一律的な色相修正を止揚し、調整の実質的な対象となる組み合わせ色相要素が表現する色相の観点から色相を修正・補正することができる色修正・補正方法およびこれを用いる色修正・補正装置に関する。
【背景技術】
【０００２】
映像処理（ｉｍａｇｅ  ｐｒｏｃｅｓｓｉｎｇ）または画像処理は、入出力が画像であるあらゆる形態の情報処理を指し示し、写真や動画像を処理することが代表的な例である。ほとんどの画像処理において、画像を２次元信号として送り、これに信号処理技法が適用される方法が使用される。
【０００３】
画像処理技法の中で、デジタルイメージ、例えば、デジタルカメラによって撮影されたデジタル写真の明るさやコントラストなどの色相補正と、色写像、色調和、量子化或いは他の色空間への色変換のための様々な画像処理技法が存在する。このような画像処理技法は、様々な種類の画像レタッチアプリケーションを用いて実現できる。
【０００４】
ところが、従来技術によれば、デジタルイメージの色相にレタッチ（ｒｅｔｏｕｃｈｉｎｇ）を加えて様々な効果を得るために、例えば、明るさ、コントラスト、レベル、カーブ、バランス、色調および彩度などの因子を変更する上で複雑な演算を処理しなければならなかった。また、イメージ処理によって得ようとする効果に対応してイメージ処理作業の数が増えるにつれて、イメージ処理に多くの時間がかかった。また、イメージ処理回数の増加により、原本イメージの色相情報が変更されたりもした。さらに、原本対比色相、解像度の面で品質が著しく低下するイメージ処理結果により、ユーザーはリターンボタンをクリックしてイメージ処理作業をキャンセルする場合も発生した。
【０００５】
図１は従来技術によって行われるイメージ色相補正方法を図式的に示す例示図である。図１を参照すると、ＲＧＢ色相モデルにおいて（Ｒ：２１６、Ｇ：１０９、Ｂ：５３）で表現される色と（Ｒ：２１６、Ｇ：２２０、Ｂ：２４９）で表現される色は互いに区別される。前者は、いわゆるレンガ色に近い色であり、後者は薄紫に近い色である。ところが、デジタル写真に現れる赤いトーンを下げるためにＲ要素が調整されなければならない場合、従来技術によれば、デジタル写真の各ピクセルに対して一律にＲ要素の値を小さくするイメージ処理が行われた。そして、色相要素の調整により視覚的に赤いトーンが抑えられる効果に加えて、他のトーンの色相まで補正される結果が発生したりもした。図１を参照すると、従来技術に係る結果により、Ｒ要素の調整に応じて赤いトーンのレンガ色の他に、思いがけない薄紫色も補正される。
【０００６】
まず、先行技術である韓国登録特許第１０−１６９５２２４号（２０１７年１月５日）は、画像形成装置、その色補正方法およびそれを用いた出力画像の色相補正のためのホスト装置を開示する。
【０００７】
上記の先行技術は、画像形成装置を用いてディスプレイ装置の状態に拘らず、ディスプレイ画面の色相とプリントアウトの色相とを一致させることができる技術を開示しているが、本発明で紹介しようとする色相モデルにおいて単一の色相要素ではなく、色相要素の組み合わせによって形成される組み合わせ要素に基づいて色相を補正する技術を開示してはいない。
【０００８】
本発明の実施形態によって提供される技術は、調整の実質的な対象となる組み合わせ色相要素を用いて色相を補正する技術であって、上述した先行技術とは区別され、上述の問題点を解決するためのものである。
【発明の概要】
【発明が解決しようとする課題】
【０００９】
本発明は、かかる問題点を解決するためになされたもので、その目的は、色相モデルに応じて、単一の色相要素ではなく、色相要素の組み合わせによって調整の実質的な対象となる組み合わせ色相を提供し、組み合わせ色相要素に基づいて色相の修正・補正を行う色修正・補正方法およびこれを用いる色修正・補正装置を提供することにある。
【００１０】
本発明の他の目的は、様々な効果を提供するために効果に対応するそれぞれのイメージ処理を順次行っていた従来技術を補完して、単一の過程を経て複合的な効果を示すことができる色相の修正・補正を行う色修正・補正方法およびこれを用いる色修正・補正装置を提供することにある。
【００１１】
本発明の別の目的は、様々な効果を提供するイメージ処理過程の結果をデータベースに格納することにより、検索によって所望の効果をデータベースから選択し、これを実行することにより、色相の修正・補正によって実現しようとする効果を数値化して再現することができる色相修正・補正方法およびこれを用いる色修正・補正装置を提供することにある。
【００１２】
本発明の別の目的は、従来技術によって様々な効果の再現のため複数のイメージ処理による色相情報が損傷してしまったことを改善するために、様々な効果を単一の過程を経て得、色相情報の損傷を防止することができる色修正・補正方法およびこれを用いる色修正・補正装置を提供することにある。
【課題を解決するための手段】
【００１３】
本発明の一実施形態に係る色修正・補正方法は、様々な種類の色相修正（ｃｏｌｏｒ  ｇｒａｄｉｎｇ）・色相補正（ｃｏｌｏｒ  ｃｏｒｒｅｃｔｉｏｎ）作業によるイメージ処理（ｉｍａｇｅ  ｐｒｏｃｅｓｓｉｎｇ）結果をプロファイルとしてデータ化して格納する段階と、格納されたプロファイル（ｐｒｏｆｉｌｅ）の中から選択された色相修正・色相補正作業のプロファイル情報（ｐｒｏｆｉｌｅ  ｉｎｆｏｒｍａｔｉｏｎ）を用いて前記イメージ処理の結果をターゲットイメージ（ｔａｒｇｅｔ  ｉｍａｇｅ）に適用する段階を含むことを特徴とする。
【００１４】
ここで、前記色相値（ｃｏｌｏｒ  ｖａｌｕｅ）を表現する方式は、最大公約数（ｇｒｅａｔｅｓｔ  ｃｏｍｍｏｎ  ｄｉｖｉｓｏｒ）の原理に基づいて色相モデル（ｃｏｌｏｒｍｏｄｅｌ）に応じて色相要素（ｃｏｍｐｏｎｅｎｔ  ｏｆ  ｃｏｌｏｒ）を組み合わせて生成された組み合わせ要素（ｃｏｍｂｉｎｅｄ  ｃｏｍｐｏｎｅｎｔ）を用いることを特徴とする。
【００１５】
ここで、前記データ化して格納する段階は、前記方式によって表現された色相値を含むルックアップテーブル（ｌｏｏｋ−ｕｐ  ｔａｂｌｅ）に対応するｎカラーテーブルチャート（ｎ  ｃｏｌｏｒ  ｔａｂｌｅ  ｃｈａｒｔ、ＮＣＴＣ）を生成する段階を含むことを特徴とする。
【００１６】
ここで、前記データ化して格納する段階は、色相修正・色相補正作業によるイメージ処理をサンプルイメージ（ｓａｍｐｌｅ  ｉｍａｇｅ）に適用する段階と、前記イメージ処理によって変換されたイメージの色相値に関するプロファイルを生成する段階と、色相修正・色相補正作業の種類とこれに対応するプロファイル情報に関するデータベースを構築する段階とをさらに含むことを特徴とする。
【００１７】
ここで、前記プロファイル情報は、前記ＮＣＴＣの色相値と、前記デジタルイメージ処理によって変換された色相値とを含むことを特徴とする。
【００１８】
ここで、前記ターゲットイメージに適用する段階は、ターゲットイメージの色相値が前記組み合わせ色相の色相値を表現する方式によって表現されるように、ターゲットイメージの色相値を変更する段階と、ターゲットイメージに適用しようとする、選択された色相修正・色相補正作業に該当するプロファイルを、データ化によって格納されたデータベースから検索する段階と、検索されたプロファイルのプロファイル情報に応じて、ターゲットイメージの色相値を変換することにより、選択された色相修正・色相補正処理が適用されたターゲットイメージを得る段階とを含むことを特徴とする。
【００１９】
ここで、前記色相値を表現する方式は、色相要素のうちの複数個を組み合わせて生成された組み合わせ要素、および組み合わせの後に残る色相要素を用いてイメージピクセルの色相を表現することを特徴とする。
【００２０】
ここで、前記組み合わせは、各色相要素で共通の数値範囲の色相値を有する色相要素を共通の数値範囲内で互いに組み合わせることを特徴とする。
【００２１】
ここで、前記組み合わせ要素の色相値は、ＲＧＢ色相モデルおよびＣＭＹＫ色相モデルを含む色相モデルで表現されることを特徴とする。
【００２２】
本発明の一実施形態に係る色修正・補正装置は、様々な種類の色相修正・色相補正作業によるイメージ処理結果をデータ化して格納するデータベース生成部と、格納されたプロファイルの中から選択された色相修正・色相補正作業のプロファイル情報を用いて前記イメージ処理の結果をターゲットイメージに適用するカラー補正エンジンとを含むことを特徴とする。
【００２３】
ここで、前記色相値を表現する方式は、最大公約数の原理に基づいて、色相モデルに応じて色の要素を組み合わせて生成された組み合わせ要素（ｃｏｍｂｉｎｅｄ  ｅｌｅｍｅｎｔ）を用いることを特徴とする。
【００２４】
ここで、前記データベース生成部は、前記方式によって表現された色相値を含むルックアップテーブルに該当するｎカラーテーブルチャートを生成するチャート生成モジュールを含むことを特徴とする。
【００２５】
ここで、前記データベース生成部は、色相修正・色相補正作業によるイメージ処理をサンプルイメージに適用するデモモジュールと、前記イメージ処理によって変換されたイメージの色相値に関するプロファイルを生成するプロファイル生成モジュールと、色相修正・色相補正作業の種類とこれに対応するプロファイル情報に関するデータベースを構築するデータベースモジュールとを含むことを特徴とする。
【００２６】
ここで、前記プロファイル情報は、前記ＮＣＴＣの色相値と、前記デジタルイメージ処理によって変換された色相値とを含むことを特徴とする。
【００２７】
ここで、前記カラー補正エンジンは、ターゲットイメージの色相値が前記組み合わせ色相の色相値を表現する方式によって表現されるように、ターゲットイメージの色相値を変更する色相変更モジュールと、ターゲットイメージに適用しようとする、選択された色相修正・色相補正作業に該当するプロファイルを、データ化によって格納されたデータベースから検索する検索モジュールと、検索されたプロファイルのプロファイル情報に応じて、ターゲットイメージの色相値を変換する色相変換モジュールとを含み、選択された色相修正・色相補正作業が適用されたターゲットイメージを出力することを特徴とする。
【００２８】
ここで、前記色相値を表現する方式は、色相要素のうちの複数個を組み合わせて生成された組み合わせ要素、および組み合わせの後に残る色相要素を用いてイメージピクセルの色相を表現することを特徴とする。
【００２９】
ここで、前記組み合わせは、各色相要素で共通の数値範囲の色相値を有する色の要素を共通の数値範囲内で互いに組み合わせることを特徴とする。
【００３０】
ここで、前記組み合わせ要素の色相値は、ＲＧＢ色相モデルおよびＣＭＹＫ色相モデルを含む色相モデルで表現されることを特徴とする。
【００３１】
ここで、前記チャート生成モジュールは、ＲＧＢカラーモデルで、赤（ｒｅｄ）、緑（ｇｒｅｅｎ）、青（ｂｌｕｅ）の３つの色相要素を用いて、３つの色相要素が組み合わせられた赤緑青（ＲＧＢ）、２つの色相要素が組み合わせられた赤緑（ＲＧ）、緑青（ＧＢ）および青赤（ＢＲ）、並びに残り１つの色相要素である赤、緑および青に対する７つのチャートを生成することを特徴とする。
【００３２】
ここで、前記チャート生成モジュールは、ＣＭＹＫ色相モデルで、Ｃ、Ｍ、ＹおよびＫの４つの色相要素を用いて、４つの色相要素が組み合わせられたＣＭＹＫ、３つの色相要素が組み合わせられたＣＭＹ、ＣＭＫ、ＣＹＫおよびＭＹＫ、２つの色相要素が組み合わせられたＣＭ、ＣＹ、ＣＫ、ＭＹ、ＭＫおよびＹＫ、並びに残り１つの色相要素Ｃ、Ｍ、ＹおよびＫに対する１５個のチャートを生成することを特徴とする。
【００３３】
ここで、前記各チャートは、各チャートに該当する組み合わせ要素を構成する色相要素の数値に基づいて色相を段階別に表示する２５６個のパッチを含むことを特徴とする。
【００３４】
ここで、前記各チャートは、各チャートに該当する組み合わせ要素を構成する色相要素の数値に基づいて色相を段階別に表示する１００個のパッチを含むことを特徴とする。
【００３５】
ここで、前記色相変換モジュールは、赤、緑および青（Ｒ＝Ｇ＝Ｂ）組み合わせ要素の変換された色相値、赤緑、緑青および青赤（Ｒ＝Ｇ／Ｇ＝Ｂ／Ｂ＝Ｒ）組み合わせ要素のうちのいずれかの組み合わせ要素の変換された色相値、並びに赤、緑および青の残り色相要素のうちのいずれかの色相要素の変換された色相値を含む集合において、少なくとも一つの色相値の合算によって前記ターゲットイメージの色相値を変換することを特徴とする。
【００３６】
ここで、前記ターゲットイメージは、前記イメージ処理によって色相情報が変更されない形式のファイルであることを特徴とする。
【発明の効果】
【００３７】
本発明によれば、色相モデルに応じて、単一の色相要素ではなく、色相要素の組み合わせによって、調整の実質的な対象となる組み合わせ色相が提供され、組み合わせ色相要素に基づいて色相の修正・補正が行われ得る。
【００３８】
また、単一の過程を経て複合的な効果を示すことが可能な色相の修正・補正が行われ得る。
【００３９】
また、様々な効果を提供するイメージ処理過程の結果をデータベースに格納することにより、検索によって所望の効果をデータベースから選択し、これを実行することにより、色相修正・補正によって実現しようとする効果が数値化されて再現され得る。
【００４０】
また、様々な効果を単一の過程を経て得、色相情報の損傷が防止できる。
【図面の簡単な説明】
【００４１】
【図１】従来技術によって行われるイメージ色相補正方法を図式的に示す例示図である。
【図２】本発明の一実施形態に係る色修正・補正装置を含むシステムの例示図である。
【図３】本発明の一実施形態に係る色修正・補正装置のブロック図である。
【図４】図３の制御部のブロック図である。
【図５】本発明の一実施形態に係る色修正・補正装置のブロック図である。
【図６】本発明の一実施形態に係る色修正・補正方法のフローチャートである。
【図７】本発明の一実施形態に係るＲＧＢモデルの組み合わせ要素を説明するための例示図である。
【図８】本発明の一実施形態に係るＲＧＢモデルのｎカラーテーブルチャートである。
【図９】本発明の一実施形態に係るＣＭＹＫモデルのｎカラーテーブルチャートである。
【図１０】本発明の一実施形態に係るＲＧＢモデルのＲＧＢパッチの例示図である。
【図１１】本発明の一実施形態に係るＲＧＢモデルのＲＧ、ＢＧおよびＢＲパッチの例示図である。
【図１２】本発明の一実施形態に係るＲＧＢモデルのＲ、ＧおよびＢパッチの例示図である。
【発明を実施するための形態】
【００４２】
以下、添付図面を参照して、本発明の色修正・補正方法およびこれを用いる色修正・補正装置の好適な実施形態を詳細に説明する。各図面に提示された同一の参照符号は同一の部材を示す。また、本発明の実施形態についての特定の構造的ないし機能的説明は、単に本発明に係る実施形態を説明するための目的で例示されたもので、他に定義されない限り、技術的または科学的な用語を含めてここで使用されるすべての用語は、本発明の属する技術分野における通常の知識を有する者によって一般に理解されるのと同じ意味を持っている。一般に使用される辞典に定義されているような用語は、関連技術の文脈上持つ意味と一致する意味を有するものと解釈されるべきであり、本明細書で明らかに定義しない限り、理想的または過度に形式的な意味で解釈されないことが好ましい。
【００４３】
以下、本発明の一実施形態に係る色修正・補正装置について説明する。
【００４４】
図２は本発明の一実施形態に係る色修正・補正装置を含むシステムの例示図である。図２を参照すると、前記システムは、色修正・補正装置１００に該当する様々な種類のユーザー端末１００、データベース２００、サーバー３００およびネットワーク４００を含む。
【００４５】
ユーザー端末１００は、デジタルイメージの色相を修正・補正する装置であって、ビデオを含むデジタルイメージを生成し編集することができるイメージ出力専用の装置、イメージエディター、イメージ編集装置、またはイメージの生成および編集以外に汎用の演算を行うことができるコンピュータ装置、端末（ｔｅｒｍｉｎａｌ）および無線端末を含む。
【００４６】
ユーザー端末１００に該当する本発明の実施形態に係る色修正・補正装置１００は、本発明の実施形態に係る色修正・補正方法を構成するコンピュータコマンドを含む色相修正・補正アプリケーションモジュールをインストールされた形態で格納する。
【００４７】
前記無線端末の様々な実施形態は、携帯電話、無線通信機能を有するスマートフォン、無線通信機能を有する携帯情報端末（ＰＤＡ）、無線モデム、無線通信機能を有するポータブルコンピュータ、無線通信機能を有するデジタルカメラなどの撮影装置、無線通信機能を有するゲーム（ｇａｍｉｎｇ）装置、無線通信機能を有する音楽保存および再生家電製品、無線インターネット接続およびブラウジングが可能なインターネット家電製品だけでなく、それらの機能の組み合わせを統合している携帯型ユニットまたは端末を含むが、これに限定されるものではない。
【００４８】
データベース２００は、本発明の実施形態に係るデータ化された情報を含む。データベース２００は、サーバー３００側に直接接続されるか或いはユーザー端末１００側に直接接続されるが、これに限定されるものではない。本発明の実施形態に係るデータ化された情報については後述する。
【００４９】
サーバー３００は、ファイルサーバー、更新サーバー、ＦＴＰサーバー、Ｗｅｂサーバー、およびデータベースサーバーを含むことができるが、これに限定されるものではなく、ユーザー端末１００に格納された色相修正・補正アプリケーションモジュールの更新のために必要な各種ファイル、例えば、新しいパッチ、拡張プログラムおよびサービスパックを格納し、ユーザー端末の接続を許可してファイルダウンロードによるアプリケーションの更新を提供する。また、サーバー３００は、本発明の実施形態によって構築されたデータベース２００に直接接続できる。
【００５０】
ネットワーク４００は、ＬＡＮ、ＷＡＮ型の有線ネットワーク、ＷｉＦｉ、Ｂｌｕｅｔｏｏｔｈ（登録商標）、ＺｉｇＢｅｅのなどの近距離無線ネットワーク、および様々な種類のセルラー無線通信網を含むが、これに限定されるものではない。
【００５１】
色修正・補正装置１００は、インストールされていない色相修正・補正アプリケーションモジュールが格納されたメディアを読み取り、それをインストールして設置することができる。前記メディアは、光学ストレージ媒体、例えばＣＤ−ＲＯＭおよびＤＶＤ−ＲＯＭを含む。また、色相修正・補正アプリケーションモジュールがサーバー３００からダウンロードした（ｄｏｗｎｌｏａｄｅｄ）バイナリファイル形式で提供されることも可能である。色修正・補正装置１００は、ネットワーク４００を介してサーバー３００から各種ファイルをダウンロードして前記アプリケーションモジュールを更新することができる。次に、前記色修正・補正装置１００について詳細に説明する。
【００５２】
図３は本発明の一実施形態に係る色修正・補正装置のブロック図である。図３を参照すると、色修正・補正装置１００は、入力デバイス（ｉｎｐｕｔ  ｄｅｖｉｃｅ）１１０、ディスプレイ（ｄｉｓｐｌａｙ）１２０、出力デバイス（ｏｕｔｐｕｔ  ｄｅｖｉｃｅ）１３０、ストレージ装置（ｓｔｏｒａｇｅ  ｄｅｖｉｃｅ）１４０、通信装置（ｃｏｍｍｕｎｉｃａｔｉｏｎ  ｄｅｖｉｃｅ）１５０、電源装置（ｐｏｗｅｒ  ｄｅｖｉｃｅ）１６０および制御部（ｃｏｎｔｒｏｌ  ｕｎｉｔ）１７０を含む。
【００５３】
入力デバイス１１０は、色相修正・補正に必要なデータおよびユーザー作業環境の各種パラメータ設定のための情報入力を行うキーボード、タッチスクリーン、マウス、電子ペンおよび音声入力装置、例えばマイクロフォンを含むが、これに限定されるものではない。実質的に、ユーザー入力を介して、入力デバイス１１０は色相修正・補正に必要なコマンドを入力する。ここで、色相修正は、歪みはないが、異なる効果のためのプロセスを指し示し、色相補正は歪みを修正するためのプロセスを指し示すが、必ずしもこれに限定されるものではなく、イメージ処理によって現れる色相、色調および色味の変更、変換および転換を指し示すことができる。
【００５４】
ディスプレイ１２０は、色相修正・補正のための編集画面のフレーム出力を行うブラウン管（ｃａｔｈｏｄｅ−ｒａｙ  ｔｕｂｅ、ＣＲＴ）、液晶ディスプレイ（ｌｉｑｕｉｄ  ｃｒｙｓｔａｌ  ｄｉｓｐｌａｙ、ＬＣＤ）、プラズマディスプレイパネル（ｐｌａｓｍａ  ｄｉｓｐｌａｙ  ｐａｎｅｌ、ＰＤＰ）、発光ダイオード（ｌｉｇｈｔ  ｅｍｉｔｔｉｎｇ  ｄｉｏｄｅ、ＬＥＤ）ディスプレイ、有機発光ダイオード（ｏｒｇａｎｉｃ  ｌｉｇｈｔ  ｅｍｉｔｔｉｎｇ  ｄｉｏｄｅ、ＯＬＥＤ）ディスプレイを含むが、これに限定されるものではない。
【００５５】
出力デバイス１３０は、プリンター、プロッタ、ビームプロジェクター、テキスト音声変換（ｔｅｘｔ  ｔｏ  ｓｏｕｎｄ、ＴＴＳ）装置、スピーカーおよびイヤホンを含むが、これに限定されるものではない。
【００５６】
ストレージ装置１４０は、色修正・補正装置１００から分離が可能／不可能なすべての形態であって、磁気テープ、磁気ドラム、フロッピーディスク、ＺＩＰドライブ、およびハードディスクドライブ（ｈａｒｄ  ｄｉｓｋ  ｄｒｉｖｅ、ＨＤＤ）などの磁気方式のストレージ装置、ＳＤカード、ＵＳＢメモリおよびソリッドステートドライブ（ｓｏｌｉｄ  ｓｔａｔｅ  ｄｒｉｖｅ、ＳＳＤ）などのフラッシュメモリを用いる電気方式のストレージ装置、およびＣＤ−ＲＯＭドライブ、ＤＶＤ−ＲＯＭドライブ、ブルーレイディスク（ｂｌｕ−ｒａｙ  ｄｉｓｃ）ドライブなどの光学方式のストレージ装置を含むが、これに限定されるものではない。
【００５７】
通信装置１５０は、有無線通信網３００の各種通信網に対応する通信モジュール、例えば、Ｂｌｕｅｔｏｏｔｈモジュール、ＷｉＦｉモジュール、イーサネット（登録商標）インターフェースカード、ＵＳＢモジュール、セルラー無線通信モジュール、モデムおよび無線ルータを含むが、これらに限定されるものではない。
【００５８】
電源装置１６０は、ＡＣをＤＣに変換するパワーサプライ、アダプタ、ＳＭＰＳと、リチウムイオン電池、鉛蓄電池、燃料電池およびバイオエタノール電池などの二次電池および１次電池を含むが、これに限定されるものではない。
【００５９】
制御部１７０は、本発明の実施形態に係る色修正・補正方法が実現されるように色修正・補正装置１００内の各構成要素を制御する。制御部１７０について具体的に説明する。
【００６０】
図４は図３の制御部のブロック図である。図４を参照すると、制御部１７０は、プロセッサＣＰＵと、オペレーティングシステムおよび色相修正・補正アプリケーションモジュールがロードされたメモリとを含む。制御部１７０は、メモリ領域で、本発明の実施形態に係る色修正・補正方法を実行するコンピュータコマンドが含まれている色相修正・補正アプリケーションモジュール内でデータベース生成部１７１およびカラー補正エンジン１７６を含む。
【００６１】
具体的に、制御部１７０は、色修正・補正装置１００が入力デバイス１１０を介してユーザー入力を受け、本発明の実施形態に係る色修正・補正方法による色相修正・補正プロセス、色相が修正・補正されたイメージおよびユーザーインターフェースを示すディスプレイ１２０を用いた画面フレームの出力プロセス、出力デバイス１３０を用いた色相が修正・補正されたイメージを紙、織物、プラスチックなどの印刷可能な面の上に出力するプロセス、色相が修正・補正されたイメージをストレージ装置１４０に格納するプロセス、色相修正・補正に必要な各種データを受信したり、色相が修正・補正されたイメージを通信装置１５０を用いてネットワーク４００を介してサーバー３００または外部端末に伝送したりするプロセス、および電源装置１６０を用いたパワー供給プロセスを、制御部１７０内に構成されたプロセッサ（ＣＰＵ）と、オペレーティングシステム（ＯＳ）、および本発明の実施形態に係る色修正・補正方法に関するコンピュータコマンドを含む文書作成アプリケーションモジュールがロードされたメモリを用いて制御する。
【００６２】
図４を再び参照すると、本発明の実施形態に係る色修正・補正装置１００は、制御部１７０内にデータベース生成部１７１およびカラー補正エンジン１７６を含む。データベース生成部１７１は、チャート生成モジュール１７２、効果デモモジュール１７３、プロファイル生成モジュール１７４およびデータベースモジュール１７５を含み、カラー補正エンジン１７６は、色相変更モジュール１７７、検索モジュール１７８および色相変換モジュール１７９を含む。
【００６３】
まず、データベース生成部１７１は、様々な種類の色相修正・色相補正作業によるイメージ処理結果をデータ化して格納する。
【００６４】
その中で、チャート生成モジュール１７２は、上記の方式によって表現された色相値を含むルックアップテーブルに該当するｎカラーテーブルチャートを生成する。また、効果デモモジュール１７３は、色相修正・色相補正作業によるイメージ処理をサンプルイメージに適用する。また、プロファイル生成モジュール１７４は、前記イメージ処理によって変換されたイメージの色相値に関するプロファイルを生成する。また、データベースモジュール１７５は、色相修正・色相補正作業の種類とこれに対応するプロファイル情報に関するデータベースを構築する。
【００６５】
カラー補正エンジン１７６は、格納されたプロファイルの中から選択された色相修正・色相補正作業のプロファイル情報を用いて前記イメージ処理の結果をターゲットイメージに適用する。
【００６６】
その中で、色相変更モジュール１７７は、ターゲットイメージの色相値が前記組み合わせ色相の色相値を表現する方式によって表現されるように、ターゲットイメージの色相値を変更する。また、検索モジュール１７８は、ターゲットイメージに適用しようとする、選択された色相修正・色相補正作業に該当するプロファイルを、データ化によって格納されたデータベースから検索する。また、色相変換モジュール１７９は、検索されたプロファイルのプロファイル情報に応じて、ターゲットイメージの色相値を変換する。そして、選択された色相修正・色相補正作業が適用されたターゲットイメージが出力される。
【００６７】
コンピューティング装置５００に該当することが可能な本発明の実施形態に係る色修正・補正装置１００は、他の実施形態によってより具体的に説明することができる。
【００６８】
図５は本発明の他の実施形態に係る色修正・補正装置５００のブロック図である。図５を参照すると、コンピューティング装置５００に該当する色修正・補正装置５００は、入力インターフェース装置５１０、出力インターフェース装置５２０、メモリ５３１、ストレージ装置５３２、電源装置５４０、プロセッサ５５０、ネットワークインターフェース装置５６０、無線通信装置５７０およびバス５８０を含む。
【００６９】
入力インターフェース装置５１０は、ユーザーの入力に応じて色相修正・補正に必要な文字またはオブジェクトを入力する。入力インターフェース装置５１０は、キーボード（Ｋｅｙｂｏａｒｄ）、タッチスクリーン（Ｔｏｕｃｈ  Ｓｃｒｅｅｎ）、マウス（Ｍｏｕｓｅ）、電子ペン（Ｓｔｙｌｕｓ  Ｐｅｎ）およびペンタブレット（Ｐｅｎ  Ｔａｂｌｅｔ）を含むが、これに限定されるものではない。
【００７０】
出力インターフェース装置５２０は、文書を表示するディスプレイ（ｄｉｓｐｌａｙ）およびイメージをプリント出力するプリンター（ｐｒｉｎｔｅｒ）を含む。また、出力インターフェース装置５２０は、文書内の文字を音声合成（Ｔｅｘｔ  ｔｏ  Ｓｐｅｅｃｈ、ＴＴＳ）エンジンを用いて音声として出力するスピーカー（ｓｐｅａｋｅｒ）、ヘッドホン（ｈｅａｄ−ｐｈｏｎｅ）およびヘッドセット（ｈｅａｄ−ｓｅｔ）を含む。
【００７１】
プロセッサ５５０は、メモリ５３１および／またはストレージ装置５３２に格納された本発明の実施形態に係る色修正・補正方法に関する色相修正・補正アプリケーションモジュールが含んでいるコンピュータコマンドを実行することができる。プロセッサ５５０は、中央処理装置（ｃｅｎｔｒａｌ  ｐｒｏｃｅｓｓｉｎｇ  ｕｎｉｔ、ＣＰＵ）、グラフィックス処理装置（ｇｒａｐｈｉｃｓ  ｐｒｏｃｅｓｓｉｎｇ  ｕｎｉｔ、ＧＰＵ）、または本発明に係る方法が行われる専用のプロセッサを意味することができる。メモリ５３１とストレージ装置５３２は揮発性記憶媒体および／または不揮発性記憶媒体で構成できる。例えば、メモリ５３１は、読み取り専用メモリ（ｒｅａｄ  ｏｎｌｙ  ｍｅｍｏｒｙ、ＲＯＭ）および／またはランダムアクセスメモリ（ｒａｎｄｏｍ  ａｃｃｅｓｓ  ｍｅｍｏｒｙ、ＲＡＭ）で構成できる。
【００７２】
無線通信装置５７０は、近距離無線通信、無線データ通信および無線音声通信のための装置を含む。
【００７３】
文書出力装置５００に含まれているそれぞれの構成要素は、バス５８０によって接続されて互いに通信を行う。
【００７４】
以下、上述した色修正・補正装置１００が、色相修正・補正アプリケーションモジュールが含むコンピュータコマンドの実行によって実施する本発明の実施形態に係る色修正・補正方法を、図３および図６を参照して説明する。
【００７５】
図６は本発明の一実施形態に係る色修正・補正方法のフローチャートである。
【００７６】
図３および図６を参照すると、本発明の一実施形態に係る色修正・補正方法はＳ１１０乃至Ｓ１２３の段階を含む。
【００７７】
まず、データベース生成部１７１は、様々な種類の色相修正・色相補正作業によるイメージ処理結果をデータ化して格納する（Ｓ１１０）。
【００７８】
ここで、様々な種類の色相修正・色相補正作業は、レベル（ｌｅｖｅｌ）、コントラスト（ｃｏｎｔｒａｓｔ）、色相バランス（ｃ  ｌｏｒ  ｂａｌａｎｃｅ）、明度（ｂｒｉｇｈｔｎｅｓｓ）／コントラスト、色調（ｔｏｎｅ）／彩度（ｃｈｒｏｍａ）、色相一致（ｃｏｌｏｒ  ｃｏｉｎｃｉｄｅｎｃｅ）、色の変化（ｃｏｌｏｒ  ａｌｔｅｒａｔｉｏｎ）、色相選択（ｃｏｌｏｒ  ｓｅｌｅｃｔｉｏｎ）、アプリケーションフィルター（ａｐｐｌｉｃａｔｉｏｎ  ｆｉｌｔｅｒ）、反転（ｒｅｖｅｒｓｅ）および均一化（ｅｑｕａｌｉｚａｔｉｏｎ）を含むが、必ずしもこれに限定されるものではない。データ化は、前記イメージ処理結果に応じて、色相モデルで表現される色相値の数値がイメージ処理前とイメージ処理後にどのように変動するか、その対応関係を数値で表示することを含む。
【００７９】
図７は本発明の一実施形態に係るＲＧＢモデルの組み合わせ要素を説明するための例示図である。図７を参照すると、ＲＧＢモデルにおいて、Ｒ要素の数値が６４、Ｇ要素の数値が１２８、Ｂ要素の数値が１９２である色相が（Ａ）に示されている。従来技術によれば、ＲＧＢモデルで表現される各要素の色相値を調整するイメージ処理を行う。よって、従来のイメージ処理技術による各要素の数値変動の結果として、ディスプレイまたはプリンターなどの出力デバイスを介して視覚的に感知される色相は、ユーザーが予想した範囲の外にある場合が多い。これは色相の各要素を独立に且つ一律に調整するためである。
【００８０】
本発明の実施形態において色相値を表現する方式は、最大公約数の原理に基づいて、色相モデルに応じて色の要素を組み合わせて生成された組み合わせ要素を用いる。前記組み合わせは、各色相の要素において共通の数値範囲の色相値を有する色の要素を共通の数値範囲内で互いに組み合わせることを特徴とする。
【００８１】
再び図７を参照すると、ＲＧＢモデルにおいてＲ要素の数値が６４、Ｇ要素の数値が１２８、およびＢ要素の数値が１９２である色相が組み合わせ要素によって表現された（Ｂ）が示されている。最大公約数の原理に基づいて、Ｒ、Ｇ、Ｂの各色要素で互いに共通した数値の範囲に該当する６４に対して、Ｒ＝Ｇ＝Ｂ＝６４によるＲＧＢ組み合わせ要素が設定できる。
【００８２】
具体的には、ＲＧＢ：６４は６４−０によって算出される。同じ方法でＧ＝Ｂ＝６４によるＧＢ組み合わせ要素が設定できる。具体的には、ＧＢ：６４は１２８−６４によって算出される。そして、残り色相要素であるＧ要素が設定できる。具体的には、Ｇ：６４は１９２−１２８によって算出される。その他に、ＲＧＢ色相要素のうちの３つの要素が共通した数値の範囲がない場合、例えば、Ｒ：０、Ｇ：１２８、Ｂ：１９２である場合、組み合わせ要素はＲＧＢ：０、ＧＢ：１２８、Ｂ：６４に設定でき、または、２つの要素が共通した数値の範囲もない場合、例えば、Ｒ：０、Ｇ：０、Ｂ：１９２である場合、組み合わせ要素はＲＧＢ：０、ＧＢ：０、Ｂ：１９２に設定できる。すなわち、本発明の実施形態に係る色相値を表現する方式は、色の要素のうちの複数個を組み合わせて生成された組み合わせ要素、および組み合わせの後に残る色の要素を用いてイメージピクセルの色相を表現することを特徴とする。以下、Ｓ１１０段階を構成する詳細段階について説明する。
【００８３】
Ｓ１１０段階は次のＳ１１１乃至Ｓ１１４段階を含む。
【００８４】
チャート生成モジュール１７２は、上記の方式により表現された色相値を含むルックアップテーブルに該当するｎカラーテーブルチャートを生成する（Ｓ１１１）。
【００８５】
チャート生成モジュール１７２は、ＲＧＢ色相モデルで、赤、緑、青の３つの色の要素を用いて、３つの色の要素が組み合わせられた赤緑青（ＲＧＢ）、２つの色の要素が組み合わせられた赤緑（ＲＧ）、緑青（ＧＢ）および青赤（ＢＲ）、並びに残り一つの色の要素である赤、緑および青に対する７つのチャートを生成することを特徴とする。
【００８６】
図８は本発明の一実施形態に係るＲＧＢモデルのｎカラーテーブルチャートである。図８を参照すると、ＲＧＢモデルで、色相の３要素によって生成できる組み合わせ要素が示されている。ここで、ＲＧＢ組み合わせ要素として、最大数値の５０％の数値を持つ色相要素の組み合わせによって生成されたものが代表的に表示されている。図８を参照すると、既存のＲＧＢモデルと比較して全体色相を構成する色相要素が、７つの組み合わせ要素で代表される因子に拡張されたことを見ることができる。よって、本発明の実施形態に係る組み合わせ因子を用いて色相が表現される場合、色相修正・色相補正により変動する色相が既存のＲＧＢモデルに比べてより正確に表現できる。
【００８７】
さらに、本発明の実施形態に係る組み合わせ要素の色相値は、ＲＧＢ色相モデルおよびＣＭＹＫ色相モデルを含む色相モデルで表現できる。
【００８８】
ＲＧＢモデルは、色を混ぜるほど明度が高くなる加法混色（ａｄｄｉｔｉｖｅ  ｃｏｌｏｒ  ｍｉｘｉｎｇ）色相モデルであり、ＣＭＹＫモデルは、色を混ぜるほど明度が低くなる減法混色（ｓｕｂｔｒａｃｔｉｖｅ  ｃｏｌｏｒ  ｍｉｘｉｎｇ）色相モデルである。
【００８９】
青緑色（ｃｙａｎ）、マゼンタ（ｍａｇｅｎｔａ）、黄色（ｙｅｌｌｏｗ）、黒色（ｂｌａｃｋ）の略字を用いて表示されるＣＭＹＫ色相モデルは、インクに基づいた色相実現原理に従うため、色を加えるほど明度が低くなり暗くなる。色が混合されるほど光の量が減るからである。
【００９０】
チャート生成モジュール１７２は、ＣＭＹＫ色相モデルで、Ｃ、Ｍ、ＹおよびＫの４つの色相要素を用いて４つの色相要素が組み合わせられたＣＭＹＫ、３つの色相要素が組み合わせられたＣＭＹ、ＣＭＫ、ＣＹＫおよびＭＹＫ、２つの色相要素が組み合わせられたＣＭ、ＣＹ、ＣＫ、ＭＹ、ＭＫおよびＹＫ、並びに残り１つの色相要素Ｃ、Ｍ、ＹおよびＫに対する１５つのチャートを生成することを特徴とする。
【００９１】
図９は本発明の一実施形態に係るＣＭＹＫモデルのｎカラーテーブルチャートである。図９を参照すると、ＣＭＹＫモデルにおいて色相の４つの要素によって生成できる組み合わせ要素が示されている。ここで、Ｋ要素が含まれている組み合わせ要素として、最大数値の５０％の数値を持つ色相要素の組み合わせによって生成されたものが代表的に示されている。
【００９２】
ＣＭＹＫは、ＲＧＢよりも表示可能な色相領域が少ないが、例えばプリントアウトなど、インクで表現されるすべての出力物はＣＭＹＫ色相モデルに従う。ディスプレイ上で確認された色相が実際印刷したときに出てきた色相と違いがある場合が多いので、ポスター、カタログ、パンフレット、ポートフォリオなどの印刷物の色相表現にはＣＭＹＫ色相モデルが用いられる。
【００９３】
前記色相モデル別に生成されたチャートは、これに該当する組み合わせ要素の色分布度を含む。本発明の実施形態に係るＲＧＢ色相モデルのルックアップテーブルは、組み合わせられた色相を組み合わせ要素の数値に基づいて段階別に表示する２５６個のパッチで構成された色相分布図をチャート別に含む。
【００９４】
本発明の実施形態に係るＲＧＢ色相モデルのルックアップテーブルは、組み合わせられた色相を組み合わせ要素の数値に基づいて段階別に表示する１００個のパッチで構成された色相分布図をチャート別に含む。
【００９５】
図１０は本発明の一実施形態に係るＲＧＢモデルのＲＧＢパッチの例示図である。図１０を参照すると、ＲＧＢ組み合わせ要素の数値が１〜２５５である場合のパッチが段階別に示されている。
【００９６】
図１１は本発明の一実施形態に係るＲＧＢモデルのＲＧ、ＢＧおよびＢＲパッチの例示図である。図１１を参照すると、ＲＧ、ＧＢ、ＢＲ組み合わせ要素の数値が１〜２５５である場合のパッチが段階別にそれぞれ示されている。
【００９７】
図１２は本発明の一実施形態に係るＲＧＢモデルのＲ、ＧおよびＢパッチの例示図である。図１２を参照すると、Ｒ、Ｇ、Ｂ色相要素の数値が１〜２５５である場合のパッチが段階別にそれぞれ示されている。
【００９８】
前記各チャートに含まれているパッチ値は、本発明の実施形態に係る色相修正・色相補正作業に応じて変動する色相を表現する基準となる。
【００９９】
次に、効果デモモジュール１７３は、色相修正・色相補正作業によるイメージ処理をサンプルイメージに適用する（Ｓ１１２）。Ｓ１１２段階では、上述した様々な色相修正・色相補正処理が行われる。さらに、単一の作業または様々な組み合わせの２つ以上の複数の作業が順次行われる。そして、既存の各種効果、例えばノイズ、レンダリング、ブラシ線、鮮明効果、スケッチ効果、スタイル化、アート効果、歪み、テクスチャ、ピクセル化、ぼかし効果、およびサードパーティベンダーによって提供されるフィルターによって実現される各種その他の効果の結果を数値化するために、各種フィルターによるイメージ処理がサンプルイメージに適用できる。
【０１００】
次に、プロファイル生成モジュール１７４は、前記イメージ処理により変換されたイメージの色相値に関するプロファイルを生成する（Ｓ１１３）。各プロファイルは、体系的な管理のために固有番号を持っている。
【０１０１】
次に、データベースモジュール１７５は、前記実行された色相修正・色相補正作業の種類とこれに対応するプロファイル情報に関するデータベースを構築する（Ｓ１１４）。ここで、プロファイル情報は、本発明の実施形態に係るＮＣＴＣの色相値と前記デジタルイメージ処理によって変換された色相値、その他にイメージ処理による実現される効果の名称、効果の段階および色相モデルの種類を含む。以下、構築されたデータベースを用いてターゲットイメージにイメージ処理による効果を適用する段階について説明する。
【０１０２】
まず、カラー補正エンジン１７６は、格納されたプロファイルの中から選択された色相修正・色相補正作業のプロファイル情報を用いて前記イメージ処理の結果をターゲットイメージに適用する（Ｓ１２０）。
【０１０３】
具体的に、Ｓ１２０段階は次のＳ１２１乃至Ｓ１２３段階を含む。
【０１０４】
まず、色相変更モジュール１７７は、ターゲットイメージの色相値が前記組み合わせ色相の色相値を表現する方式によって表現されるように、ターゲットイメージの色相値を変更する（Ｓ１２１）。Ｓ１２１段階の結果に基づいて、ターゲットイメージの各ピクセルの色相は、本発明の実施形態に係るパッチが表現する色相で表現され、ピクセルの実際色相は、パッチが示す数値の合算を介して表現され得る。
【０１０５】
次に、検索モジュール１７８は、ターゲットイメージに適用しようとする選択された色相修正・色相補正作業に該当するプロファイルを、データ化によって格納されたデータベースから検索する（Ｓ１２２）。前記検索のためには、データベース運用で実際に使用される各種方法が使用できる。すなわち、ユーザーは、目的とするイメージ処理効果、プロファイル番号、色相値、適用段階に関するキーワードを用いてプロファイルを検索することができる。
【０１０６】
最後に、色相変換モジュール１７９は、検索されたプロファイルのプロファイル情報に応じて、ターゲットイメージの色相値を変換する（Ｓ１２３）。
【０１０７】
ＲＧＢ色相モデルにおいて、色相変換モジュール１７９は、赤、緑および青（Ｒ＝Ｇ＝Ｂ）組み合わせ要素の色相値から変換された色相値、赤緑、緑青および青赤（Ｒ＝Ｇ／Ｇ＝Ｂ／Ｂ＝Ｒ）組み合わせ要素のうちのいずれか一つの組み合わせ要素の色相値から変換された色相値、並びに赤、緑および青の残り色相要素のうちのいずれかの色相要素の色相値から変換された色相値を含む集合において、少なくとも１つの変換された色相値の合算によって前記ターゲットイメージの色相値を変換することを特徴とする。すなわち、本発明の実施形態によって、色相変換モジュール１７９は、組み合わせ要素別に色相値を変換し、変換された色相値を合算することにより、ピクセル別に変換された色相値を算出する。
【０１０８】
一つのプロファイルは、少なくとも一つのイメージ処理過程に関する情報を含む。したがって、ユーザーは、検索された一つのプロファイル情報に応じてターゲットイメージの色相値を変換しても、複数のイメージ処理効果を一つの過程を経て処理することができる。
【０１０９】
最終的に、選択された色相修正・色相補正作業が適用されたターゲットイメージが出力される。
【０１１０】
ここで、ターゲットイメージは、本発明の実施形態に係るイメージ処理によって色相情報が変更されない形式のファイルであることを特徴とする。たとえば、ＰＮＧ、ＴＩＦＦ形式のターゲットイメージファイルが使用できる。
【０１１１】
本発明に係る色相修正・色相補正方法は、様々なコンピュータ手段によって実行できるプログラム命令の形で実現され、コンピュータ可読媒体に記録できる。コンピュータ可読媒体は、プログラム命令、データファイル、データ構造などを単独でまたは組み合わせて含むことができる。コンピュータ可読媒体に記録されるプログラム命令は、本発明のために特別に設計されて構成されたものであってもよく、コンピュータソフトウェア当業者に公知されて使用可能なものであってもよい。
【０１１２】
コンピュータ可読媒体の例には、ＲＯＭ、ＲＡＭ、フラッシュメモリ（ｆｌａｓｈ  ｍｅｍｏｒｙ）などのようにプログラム命令を格納し実行するように特別に構成されたハードウェア装置が含まれる。プログラム命令の例には、コンパイラ（ｃｏｍｐｉｌｅｒ）によって作られるような機械語コードだけでなく、インタプリタ（ｉｎｔｅｒｐｒｅｔｅｒ）などを用いてコンピュータによって実行できる高級言語コードを含む。上述したハードウェア装置は、本発明の動作を行うために少なくとも一つのソフトウェアモジュールとして作動するように構成でき、その逆も同様である。
【０１１３】
このように、本発明の実施形態によれば、色修正・補正方法およびこれを用いる色修正・補正装置は、色相モデルに応じて、単一の色相要素ではなく、色相要素の組み合わせによって調整の実質的な対象となる組み合わせ色相を提供し、組み合わせ色相要素に基づいて色相の修正・補正を行うことができる。
【０１１４】
また、上記の方法および装置は、単一の過程を経て複合的な効果を示すことが可能な色相の修正・補正を行うことができる。
【０１１５】
また、上記の方法および装置は、様々な効果を提供するイメージ処理過程の結果をデータベースに格納することにより、検索によって所望の効果をデータベースから選択し、これを実行することにより、色相修正・補正によって実現しようとする効果を数値化して再現することができる。
【０１１６】
また、上記の方法および装置は、様々な効果を単一の過程を経て得るようにすることができ、色相情報の損傷を防止することができる。
【０１１７】
以上、本発明は、図面に示された実施形態を参考にして説明したが、これは例示的なものに過ぎず、当該技術の属する分野における通常の知識を有する者であれば、これから様々な変形および均等な他の実施形態が可能である点を理解するだろう。よって、本発明の技術的保護範囲は以降の特許請求の範囲によって判断されるべきである。
【図１】
2019083523.tif 000003
【図２】
2019083523.tif 000004
【図３】
2019083523.tif 000005
【図４】
2019083523.tif 000006
【図５】
2019083523.tif 000007
【図６】
2019083523.tif 000008
【図７】
2019083523.tif 000009
【図８】
2019083523.tif 000010
【図９】
2019083523.tif 000011
【図１０】
2019083523.tif 000012
【図１１】
2019083523.tif 000013
【図１２】
2019083523.tif 000014